(57)【要約】【課題】生産者の負担を軽減しつつ、生産者が自身の生産活動を容易にチェックすることができる、農業生産工程管理の支援装置、農業生産工程管理の支援方法、及びプログラムを提供する。【解決手段】支援措置１００は、テンプレート選択部１０、取組情報登録部１２及び取組情報提示部１４を備える。テンプレート選択部１０は、複数の管理点、及び、管理点ごとに設定された取組名をそれぞれ含む、予め登録された複数のテンプレートから、任意のテンプレートを選択する。取組情報登録部１２は、取組名ごとにユーザによって入力された生産者の取組内容に関する取組情報を、取組名と紐付けて生産者取組情報として登録する。取組情報提示部１４は、テンプレートを提示するとともに、そのテンプレートにおいて管理点ごとに設定されている取組名に基づいて、管理点ごとに対応する取組情報を生産者取組情報の中から抽出して提示する。【選択図】図１
2018055412.tif 000002
【特許請求の範囲】
【請求項１】
農業生産工程管理を支援する支援装置であって、
生産活動についての複数の管理点、及び、前記管理点ごとに設定された生産活動に関する取組名をそれぞれ含む、予め登録された複数のテンプレートから、ユーザの操作に応じて任意のテンプレートを選択する、テンプレート選択部と、
前記テンプレート選択部によって任意のテンプレートが選択されている場合に、前記取組名ごとにユーザによって入力された生産者の取組内容に関する取組情報を、前記取組名と紐付けて生産者取組情報として登録する、取組情報登録部と、
前記テンプレート選択部によって選択されたテンプレートを提示するとともに、そのテンプレートにおいて前記管理点ごとに設定されている前記取組名に基づいて、前記管理点ごとに対応する前記取組情報を前記取組情報登録部によって登録された前記生産者取組情報の中から抽出して提示する、取組情報提示部と、
を備えている、ことを特徴とする農業生産工程管理の支援装置。
【請求項２】
前記テンプレートにおいて前記管理点ごとに設定された前記取組名を、ユーザの操作に応じて変更する取組名変更部をさらに備える、
請求項１に記載の農業生産工程管理の支援装置。
【請求項３】
前記複数のテンプレートは、支援装置の管理者によって作成された複数の基準テンプレートと、前記複数の基準テンプレートを複製することによって得られる複数の複製テンプレートと、を含み、
前記取組名変更部は、前記複製テンプレートの前記取組名を変更し、
前記テンプレート選択部は、前記複数の複製テンプレートから任意の複製テンプレートを選択し、
前記取組情報登録部は、前記複製テンプレートにおいて設定されている前記取組名ごとに、ユーザによって入力された前記取組情報を、前記取組名と紐付けて生産者取組情報として登録し、
前記取組情報提示部は、前記テンプレート選択部によって選択された複製テンプレートを提示するとともに、その複製テンプレートの前記管理点ごとに、その管理点において設定されている前記取組名に対応する前記取組情報を、前記生産者取組情報の中から抽出して提示する、
請求項２に記載の農業生産工程管理の支援装置。
【請求項４】
前記テンプレートは、前記管理点ごとに予め設定された生産者の取組に関する基準を含み、
前記支援装置は、前記取組情報登録部によって登録された生産者取組情報に基づいて、前記テンプレートごとに、前記生産者の取組が前記複数の管理点の前記基準に適合しているか否かを判定する判定部をさらに備える、
請求項１から３のいずれかに記載の農業生産工程管理の支援装置。
【請求項５】
前記取組情報登録部によって登録された生産者取組情報から、スナップショットを取得するスナップショット取得部と、
前記スナップショット取得部によって取得された前記スナップショットの前記生産者取組情報、及び前記複数のテンプレートのうちの任意のテンプレートに基づいて、そのテンプレートの前記複数の管理点と前記取組情報とを対応付けて提示する評価用テンプレートを生成する評価用テンプレート生成部と、をさらに備える、
請求項１から４のいずれかに記載の農業生産工程管理の支援装置。
【請求項６】
農業生産工程管理を支援する支援方法であって、
（ａ）生産活動についての複数の管理点、及び、前記管理点ごとに設定された生産活動に関する取組名をそれぞれ含む、予め登録された複数のテンプレートから、ユーザの操作に応じて任意のテンプレートを選択する、ステップと、
（ｂ）前記（ａ）のステップで任意のテンプレートが選択されている場合に、前記取組名ごとにユーザによって入力された生産者の取組内容に関する取組情報を、前記取組名と紐付けて生産者取組情報として登録する、ステップと、
（ｃ）前記複数のテンプレートのうちのいずれかのテンプレートを提示するとともに、そのテンプレートにおいて前記管理点ごとに設定されている前記取組名に基づいて、前記管理点ごとに対応する前記取組情報を前記（ｂ）のステップで登録された前記生産者取組情報の中から抽出して提示する、ステップと、
を備えている、ことを特徴とする農業生産工程管理の支援方法。
【請求項７】
（ｄ）前記テンプレートにおいて前記管理点ごとに設定された前記取組名を、ユーザの操作に応じて変更するステップをさらに備える、
請求項６に記載の農業生産工程管理の支援方法。
【請求項８】
前記複数のテンプレートは、支援装置の管理者によって作成された複数の基準テンプレートと、前記複数の基準テンプレートを複製することによって得られる複数の複製テンプレートと、を含み、
前記（ｄ）のステップでは、前記複製テンプレートの前記取組名を変更し、
前記（ａ）のステップでは、前記複数の複製テンプレートから任意の複製テンプレートを選択し、
前記（ｂ）のステップでは、前記複製テンプレートにおいて設定されている前記取組名ごとに、ユーザによって入力された前記取組情報を、前記取組名と紐付けて生産者取組情報として登録し、
前記（ｃ）のステップでは、前記複数の複製テンプレートのうちのいずれかの複製テンプレートを提示するとともに、その複製テンプレートの前記管理点ごとに、その管理点において設定されている前記取組名に対応する前記取組情報を、前記生産者取組情報の中から抽出して提示する、
請求項７に記載の農業生産工程管理の支援方法。
【請求項９】
（ｅ）前記（ｂ）のステップで登録された生産者取組情報に基づいて、前記テンプレートごとに、前記生産者の取組が前記複数の管理点ごとに予め設定された基準に適合しているか否かを判定するステップをさらに備える、
請求項６から８のいずれかに記載の農業生産工程管理の支援方法。
【請求項１０】
（ｆ）前記（ｂ）のステップで登録された生産者取組情報から、スナップショットを取得するステップと、
（ｇ）前記（ｆ）のステップで取得された前記スナップショットの前記生産者取組情報、及び前記複数のテンプレートのうちの任意のテンプレートに基づいて、そのテンプレートの前記複数の管理点と前記取組情報とを対応付けて提示する評価用テンプレートを生成するステップと、をさらに備える、
請求項６から９のいずれかに記載の農業生産工程管理の支援方法。
【請求項１１】
コンピュータに、
（ａ）生産活動についての複数の管理点、及び、前記管理点ごとに設定された生産活動に関する取組名をそれぞれ含む、予め登録された複数のテンプレートから、ユーザの操作に応じて任意のテンプレートを選択する、ステップと、
（ｂ）前記（ａ）のステップで任意のテンプレートが選択されている場合に、前記取組名ごとにユーザによって入力された生産者の取組内容に関する取組情報を、前記取組名と紐付けて生産者取組情報として登録する、ステップと、
（ｃ）前記複数のテンプレートのうちのいずれかのテンプレートを提示するとともに、そのテンプレートにおいて前記管理点ごとに設定されている前記取組名に基づいて、前記管理点ごとに対応する前記取組情報を前記（ｂ）のステップで登録された前記生産者取組情報の中から抽出して提示する、ステップと、
を実行させる、ことを特徴とするプログラム。
【請求項１２】
前記コンピュータに、
（ｄ）前記テンプレートにおいて前記管理点ごとに設定された前記取組名を、ユーザの操作に応じて変更するステップをさらに実行させる、
請求項１１に記載のプログラム。
【請求項１３】
前記複数のテンプレートは、支援装置の管理者によって作成された複数の基準テンプレートと、前記複数の基準テンプレートを複製することによって得られる複数の複製テンプレートと、を含み、
前記（ｄ）のステップでは、前記複製テンプレートの前記取組名を変更し、
前記（ａ）のステップでは、前記複数の複製テンプレートから任意の複製テンプレートを選択し、
前記（ｂ）のステップでは、前記複製テンプレートにおいて設定されている前記取組名ごとに、ユーザによって入力された前記取組情報を、前記取組名と紐付けて生産者取組情報として登録し、
前記（ｃ）のステップでは、前記複数の複製テンプレートのうちのいずれかの複製テンプレートを提示するとともに、その複製テンプレートの前記管理点ごとに、その管理点において設定されている前記取組名に対応する前記取組情報を、前記生産者取組情報の中から抽出して提示する、
請求項１２に記載のプログラム。
【請求項１４】
前記コンピュータに、
（ｅ）前記（ｂ）のステップで登録された生産者取組情報に基づいて、前記テンプレートごとに、前記生産者の取組が前記複数の管理点ごとに予め設定された基準に適合しているか否かを判定するステップをさらに実行させる、
請求項１１から１３のいずれかに記載のプログラム。
【請求項１５】
前記コンピュータに、
（ｆ）前記（ｂ）のステップで登録された生産者取組情報から、スナップショットを取得するステップと、
（ｇ）前記（ｆ）のステップで取得された前記スナップショットの前記生産者取組情報、及び前記複数のテンプレートのうちの任意のテンプレートに基づいて、そのテンプレートの前記複数の管理点と前記取組情報とを対応付けて提示する評価用テンプレートを生成するステップと、をさらに実行させる、
請求項１１から１４のいずれかに記載のプログラム。
【発明の詳細な説明】
【技術分野】
【０００１】
本発明は、農業生産工程管理の支援装置、農業生産工程管理の支援方法、及びプログラムに関する。
【背景技術】
【０００２】
近年、食品の安全性向上、農産物の品質向上、環境保全、及び労働者の安全性確保等の観点から、ＧＡＰ（Good Agricultural Practice：農業生産工程管理）が注目されている。ＧＡＰでは、農業、畜産、水産養殖に関して、複数の管理点が多岐にわたって設定されている。具体的には、例えば、経営に関する複数の管理点、及び生産工程に関する複数の管理点等が設定されている。また、管理点ごとに、生産者が守るべき基準が設定されている。
【０００３】
生産者は、管理点ごとに設定された基準に従って、生産工程の点検および評価等を行う。これにより、生産者は、生産活動を持続的に改善することができる。
【０００４】
上述のように、ＧＡＰにおいては、複数の管理点が多岐にわたって設定されている。言い換えると、生産工程等に関して、複数のチェック項目が多岐にわたって設定されている。このため、生産者の生産活動を管理点ごとにチェックする際には、チェックをする者（例えば、生産者自身、指導員等）は、ある程度の時間および労力を要する。そこで、従来、生産者の生産活動がＧＡＰの基準を満たしているかどうかを容易にチェックするための技術が提案されている（例えば、特許文献１参照）。
【０００５】
特許文献１に記載された指導支援装置では、ＧＡＰにおいて設定された複数のチェック項目が、複数の組に分類される。具体的には、指導員がヒアリングを行う場所及びヒアリングの対象者等に応じて、チェック項目が複数の組に分類される。この場合、指導員は、ヒアリングを行う場所及びヒアリングの対象者等に応じて、チェック項目をまとめて審査することができる。これにより、指導員の負担を軽減できると考えられる。
【先行技術文献】
【特許文献】
【０００６】
【特許文献１】特許第５７６２３７８号
【発明の概要】
【発明が解決しようとする課題】
【０００７】
ところで、上記のようなＧＡＰは、複数の団体および国ごとに、独自に規格化されている。このため、生産者は、自身の生産活動が一つのＧＡＰの基準を満たすものであっても、他のＧＡＰの基準を満たしているのかどうかを判断することはできない。特許文献１の指導支援装置を利用したとしても、生産者の生産活動が複数のＧＡＰの基準を満たしているかどうかを判断するためには、ＧＡＰごとに、生産者の生産活動を審査しなければならない。
【０００８】
また、生産者の生産活動が、異なる複数のＧＡＰの基準を満たしているかどうかを判断するためには、生産者は、ＧＡＰごとに、そのＧＡＰにおいて設定された複数の管理点（チェック項目）の基準を満たしていることを証明する資料を準備しなければならない。この場合、生産者の負担が大きくなる。なお、特許文献１の指導支援装置によれば、上述のように、指導員はチェック項目をまとめて審査することができるので、指導員の負担を軽減することはできる。しかしながら、指導員が異なるＧＡＰのチェック項目を審査する際には、ＧＡＰごとに、そのＧＡＰのチェック項目に応じた資料を生産者に準備してもらう必要がある。このため、特許文献１の指導支援装置を用いても、生産者の負担を軽減することはできない。
【０００９】
本発明の目的の一例は、生産者の負担を軽減しつつ、生産者が自身の生産活動を容易にチェックすることができる、農業生産工程管理の支援装置、農業生産工程管理の支援方法、及びプログラムを提供することにある。
【課題を解決するための手段】
【００１０】
上記目的を達成するため、本発明の一側面における農業生産工程管理の支援装置は、
農業生産工程管理を支援する支援装置であって、
生産活動についての複数の管理点、及び、前記管理点ごとに設定された生産活動に関する取組名をそれぞれ含む、予め登録された複数のテンプレートから、ユーザの操作に応じて任意のテンプレートを選択する、テンプレート選択部と、
前記テンプレート選択部によって任意のテンプレートが選択されている場合に、前記取組名ごとにユーザによって入力された生産者の取組内容に関する取組情報を、前記取組名と紐付けて生産者取組情報として登録する、取組情報登録部と、
前記テンプレート選択部によって選択されたテンプレートを提示するとともに、そのテンプレートにおいて前記管理点ごとに設定されている前記取組名に基づいて、前記管理点ごとに対応する前記取組情報を前記取組情報登録部によって登録された前記生産者取組情報の中から抽出して提示する、取組情報提示部と、
を備えている、ことを特徴とする。
【００１１】
また、上記目的を達成するため、本発明の一側面における農業生産工程管理の支援方法は、
農業生産工程管理を支援する支援方法であって、
（ａ）生産活動についての複数の管理点、及び、前記管理点ごとに設定された生産活動に関する取組名をそれぞれ含む、予め登録された複数のテンプレートから、ユーザの操作に応じて任意のテンプレートを選択する、ステップと、
（ｂ）前記（ａ）のステップで任意のテンプレートが選択されている場合に、前記取組名ごとにユーザによって入力された生産者の取組内容に関する取組情報を、前記取組名と紐付けて生産者取組情報として登録する、ステップと、
（ｃ）前記複数のテンプレートのうちのいずれかのテンプレートを提示するとともに、そのテンプレートにおいて前記管理点ごとに設定されている前記取組名に基づいて、前記管理点ごとに対応する前記取組情報を前記（ｂ）のステップで登録された前記生産者取組情報の中から抽出して提示する、ステップと、
を備えている、ことを特徴とする。
【００１２】
更に、上記目的を達成するため、本発明の一側面におけるプログラムは、
コンピュータに、
（ａ）生産活動についての複数の管理点、及び、前記管理点ごとに設定された生産活動に関する取組名をそれぞれ含む、予め登録された複数のテンプレートから、ユーザの操作に応じて任意のテンプレートを選択する、ステップと、
（ｂ）前記（ａ）のステップで任意のテンプレートが選択されている場合に、前記取組名ごとにユーザによって入力された生産者の取組内容に関する取組情報を、前記取組名と紐付けて生産者取組情報として登録する、ステップと、
（ｃ）前記複数のテンプレートのうちのいずれかのテンプレートを提示するとともに、そのテンプレートにおいて前記管理点ごとに設定されている前記取組名に基づいて、前記管理点ごとに対応する前記取組情報を前記（ｂ）のステップで登録された前記生産者取組情報の中から抽出して提示する、ステップと、
を実行させる、ことを特徴とする。
【発明の効果】
【００１３】
以上のように本発明によれば、生産者の負担を軽減しつつ、生産者が自身の生産活動を容易にチェックすることができる。
【図面の簡単な説明】
【００１４】
【図１】図１は、本発明の実施の形態における農業生産工程管理の支援装置の概略構成を示すブロック図である。
【図２】図２は、本発明の実施の形態における農業生産工程管理の支援装置の具体的構成を示すブロック図である。
【図３】図３は、管理内容記憶部に記憶される情報の一例を示す図である。
【図４】図４は、基準テンプレート記憶部に記憶される情報の一例を示す図である。
【図５】図５は、複製テンプレート記憶部に記憶される情報の一例を示す図である。
【図６】図６は、端末装置に示される画面の一例を示す図である。
【図７】図７は、取組情報提示部によって生成されるデータの一例を示す図である。
【図８】図８は、生産者によって取組内容が登録されていない場合に、端末装置に提示される画面の例である。
【図９】図９は、生産者取組情報の一例を示す図である。
【図１０】図１０は、端末装置の画面に提示される取組情報の一例を示す図である。
【図１１】図１１は、端末装置の画面に提示される取組情報の他の一例を示す図である。
【図１２】図１２は、端末装置に示される画面の一例を示す図である。
【図１３】図１３は、本発明の実施の形態における支援措置の動作を示すフロー図である。
【図１４】図１４は、本実施の形態に係る支援措置の変形例を示すブロック図である。
【図１５】図１５は、本実施の形態に係る支援措置の他の変形例を示すブロック図である。
【図１６】図１６は、本発明の実施の形態における支援装置を実現するコンピュータの一例を示すブロック図である。
【発明を実施するための形態】
【００１５】
（実施の形態）
以下、本発明の実施の形態における、農業生産工程管理の支援装置、支援方法、及びプログラムについて、図１〜１６を参照しながら説明する。
【００１６】
［装置構成］
最初に、図１を用いて、本発明の実施の形態における農業生産工程管理の支援装置（以下、単に支援装置ともいう。）の概略構成について説明する。図１は、本発明の実施の形態における支援装置の概略構成を示すブロック図である。
【００１７】
図１に示すように、本実施の形態における支援措置１００は、テンプレート選択部１０と、取組情報登録部１２と、取組情報提示部１４とを備えている。支援措置１００は、例えば、図示しないネットワークを介して接続された端末装置を利用して、生産者を含むユーザによって操作される。なお、生産者とは、例えば、農業、畜産、又は水産養殖の生産者である。
【００１８】
テンプレート選択部１０は、予め登録された複数のテンプレートから、ユーザの操作に応じて任意のテンプレートを選択する。複数のテンプレートはそれぞれ、例えば、複数の団体、国及び農作物ごとに規格化されたＧＡＰに対応するように構成されている。詳細は後述するが、各テンプレートは、生産活動についての複数の管理点、及び、管理点ごとに設定された生産活動に関する取組名を含む。なお、生産活動とは、例えば、農業、畜産、又は水産養殖に関する生産活動である。
【００１９】
取組情報登録部１２は、テンプレート選択部１０によって任意のテンプレートが選択されている場合に、取組名ごとにユーザによって入力された生産者の取組内容に関する取組情報を、取組名と紐付けて生産者取組情報として登録する。
【００２０】
取組情報提示部１４は、テンプレート選択部１０によって選択されたテンプレートを提示する。また、取組情報提示部１４は、提示したテンプレートにおいて管理点ごとに設定されている取組名に基づいて、管理点ごとに対応する取組情報を取組情報登録部１２によって登録された生産者取組情報の中から抽出して提示する。
【００２１】
このように、支援措置１００においては、取組情報提示部１４は、任意のテンプレートを提示する際に、管理点ごとに、取組情報を生産者取組情報の中から抽出して提示する。したがって、支援措置１００では、一つのテンプレートの複数の管理点において共通の取組名が設定されている場合には、一つの管理点について登録された取組情報を、取組名が共通する他の管理点において提示することができる。すなわち、一つの管理点について作成された資料（取組情報）を、他の管理点の資料としても用いることができるので、資料を作成するための生産者の負担を軽減することができる。
【００２２】
また、支援措置１００では、取組情報提示部１４が任意の一つのテンプレート（ＧＡＰ）を提示する際に、他のテンプレート（他のＧＡＰ）においてユーザが登録した生産者取組情報の中から、対応する取組情報を抽出して提示することができる。これにより、例えば、複数のテンプレートのいずれかの管理点において共通の取組名が設定されている場合には、ユーザ（生産者等）は、一つのテンプレートについて登録した取組情報を、他のテンプレートにおいて新たに登録することなく提示させることができる。このため、ユーザは、例えば、一つのテンプレート（ＧＡＰ）について登録した生産者の取組情報に基づいて、その生産者の生産活動が他のテンプレート（他のＧＡＰ）の基準を満たすものであるのかどうかを判断することができる。これにより、ユーザは、生産者の生産活動が、複数のテンプレート（ＧＡＰ）の基準を満たしているか否かを容易に判断することができる。
【００２３】
以上のように、本実施の形態における支援措置１００によれば、生産者の負担を軽減しつつ、生産者が自身の生産活動を容易にチェックすることができる。
【００２４】
続いて、図２を用いて、本発明の実施の形態における支援措置の構成及び機能について更に具体的に説明する。図２は、本発明の実施の形態における支援措置の具体的構成を示すブロック図である。
【００２５】
図２に示すように、本実施の形態では、支援措置１００は、上述のテンプレート選択部１０、取組情報登録部１２、及び取組情報提示部１４に加えて、管理内容記憶部１６、基準テンプレート記憶部１８、テンプレート複製部２０、複製テンプレート記憶部２２、取組情報記憶部２４、及び取組名変更部２６を更に備える。支援措置１００は、インターネット等のネットワーク５０を介して、ユーザが使用する複数の端末装置７０，７２に接続されている。図２の例では、端末装置７０は、支援措置１００の管理者（以下、システム管理者という。）に使用される管理者用端末であり、端末装置７２は、生産者に使用される生産者用端末である。なお、生産者には、例えば、生産工程等の管理を行う管理者（以下、工程管理者）と、生産作業を行う作業者とが含まれる。
【００２６】
図２を参照して、管理内容記憶部１６には、各ＧＡＰにおいて設定されている管理点に関する情報が予め記憶されている。管理点に関する情報は、例えば、システム管理者によって、端末装置７０を介して登録される。
【００２７】
図３は、管理内容記憶部１６に記憶される情報の一例を示す図である。図３に示すように、本実施の形態では、管理内容記憶部１６には、ＧＡＰの種別を示す規格コード、各ＧＡＰにおいて設定される管理点の種別を示す管理点コード、各管理点の重要度を示す管理点レベル、各管理点において管理される項目、各管理点の具体的な内容、及び各管理点で要求される適合基準が示される。なお、図３に示した例では、ＧＡＰ−Ａに関する管理点コードのうち、アルファベットの大文字で示される管理点コードは、各管理点の管理点レベル、項目、及び各管理点の内容と紐付けられて記憶されている。一方、ＧＡＰ−Ａに関する管理点コードのうち、アルファベットの小文字を含む管理点コードは、大文字の管理点コードで示された管理点の適合基準に紐付けられて記憶されている。
【００２８】
図２を参照して、基準テンプレート記憶部１８には、複数の基準テンプレートが予め記憶されている。複数の基準テンプレートは、例えば、システム管理者によって、端末装置７０を介して登録される。本実施の形態では、基準テンプレート記憶部１８には、複数の基準テンプレートとともに、各基準テンプレートが保持する情報が記憶されている。
【００２９】
図４は、基準テンプレート記憶部１８に記憶される情報の一例を示す図である。図４に示すように、本実施の形態では、基準テンプレート記憶部１４には、例えば、基準テンプレートごとに設定されるテンプレートコード、規格コード、管理点コード、及び取組名が記憶される。なお、取組名は、各管理点の要求（適合基準）に対する生産者の取組内容を示す名称である。
【００３０】
図２を参照して、テンプレート複製部２０は、例えば、端末装置７２を利用する工程管理者の操作に応じて、基準テンプレート記憶部１８に記憶された複数の基準テンプレートのうちからいずれかの基準テンプレートを複製して、複製テンプレートとして複製テンプレート記憶部２２に記憶させる。また、図５に示すように、テンプレート複製部２０は、例えば、選択した基準テンプレートが保持するテンプレートコード、規格コード、管理点コード、及び取組名に、生産者ごとに予め登録されている生産者コードを紐付けて、複製テンプレート記憶部２２に記憶させる。なお、図５は、ＧＡＰ−Ａに対応する基準テンプレート及びＧＡＰ−Ｂに対応する基準テンプレートを複製した場合の例である。詳細な説明は省略するが、複製された複製テンプレートは、端末装置７２の画面において、例えば、図６のように示される。
【００３１】
図２を参照して、テンプレート選択部１０は、例えば、端末装置７２を利用する生産者（工程管理者又は作業者）の操作に応じて、複製テンプレート記憶部２２に記憶されたいずれかの複製テンプレートを選択する。図６を参照して、本実施の形態では、生産者は、例えば、端末装置７２の画面において、ＧＡＰ種別のＧＡＰ−Ａ又はＧＡＰ−Ｂをクリックすることによって、ＧＡＰ−Ａ又はＧＡＰ−Ｂに対応する複製テンプレートを選択することができる。
【００３２】
図２を参照して、テンプレート選択部１０は、選択された複製テンプレート及びその複製テンプレートに関する情報（図４参照）を取組情報提示部１４に送信する。取組情報提示部１４は、テンプレート選択部１０から送信されてきた情報、管理内容記憶部１６に記憶される情報（図３参照）、及び詳細を後述する取組情報記憶部２４に記憶される情報に基づいて、端末装置７２に提示される画面の画面データを生成する。
【００３３】
本実施の形態では、生産者がＧＡＰ−Ａに対応する複製テンプレートを選択した場合、取組情報提示部１４は、例えば、図７に示すように、ＧＡＰ−Ａの各管理点の項目及び内容を提示するためのデータを生成する。更に、取組情報提示部１４は、生産者がいずれかの管理点を選択した場合、選択した管理点の内容を提示するためのデータを生成する。例えば、図７の画面において、生産者が１番目の管理点を選択した場合、取組情報提示部１４は、図８に示すような、管理点の内容、適合基準、及び生産者の取組内容に関する情報（取組情報）を提示する。なお、図８は、生産者によって取組内容が登録されていない場合に、端末装置７２に提示される画面の例である。
【００３４】
取組情報が提示されていない場合、取組情報登録部１２は、端末装置７２を利用する生産者の操作に応じて、取組情報を取組情報記憶部２４に登録する。本実施の形態では、図９に示すように、取組情報登録部１２は、ユーザによって入力された取組情報を、取組情報提示部１４から取得した取組名及び予め設定されている生産者コードと紐付けて、生産者取組情報として取組情報記憶部２４に記憶させる。
【００３５】
取組情報記憶部２４に取組情報が記憶されると、取組情報提示部１４は、取組情報記憶部２４から取組情報を抽出し、図１０に示すように、端末装置７２の画面において取組情報を提示する。なお、本実施の形態では、取組情報提示部１４は、生産者コード及び取組名に基づいて、取組情報記憶部２４から取組情報を抽出する。したがって、例えば、図５を参照して、同一の生産者（生産者コード：HS0001）が、ＧＡＰ−Ｂの管理点コード１−１の管理点を選択している場合には、取組情報記憶部２４は、生産者コード（HS0001）及び取組名（安全衛生教育）に基づいて、取組情報記憶部２４から、図９に示した取組情報を抽出する。これにより、生産者は、ＧＡＰ−Ｂの管理点コード１−１の管理点に対応する取組情報を新たに登録することなく、図１１に示すように、端末装置７２の画面において、管理点コード１−１の管理点に対応する取組情報を提示させることができる。
【００３６】
なお、取組情報として登録されるデータは、具体的な内容を示すテキストデータに限定されず、リンク先を示すＵＲＬを登録してもよい。また、例えば、画像データを登録してもよい。具体的には、図３を参照して、ＧＡＰ−Ａの管理点コードＢ，ｂ１の管理点の適合基準は、「非常時の連絡先リストを作成している」である。この場合、対応する取組情報として、非常時の責任者の氏名及び連絡先等を示した組織図を、画像データとして登録してもよい。取組情報記憶部２４に記憶された画像データは、取組情報提示部１４によって抽出されて、図１１に示すように、端末装置７２の画面において取組情報の欄に提示される。なお、図５を参照して、ＧＡＰ−Ａの管理点コードｂ１の取組名と、ＧＡＰ−Ａの管理点コードｅ１の取組名は、ともに「組織図」である。したがって、取組情報提示部１４は、管理点コードｅ１の管理点の取組情報を提示する際には、取組情報記憶部２４から上記の組織図の画像データを抽出して、提示する。
【００３７】
図２を参照して、取組名変更部２６は、端末装置７２を利用する工程管理者の操作に応じて、複製テンプレート記憶部２２に記憶された取組名（図５参照）を変更する。図１２は、工程管理者が使用する端末装置７２に示される画面の一例である。本実施の形態では、工程管理者は、図１２に示される画面において、取組名を適宜変更することができる。例えば、基準テンプレートにおいて、管理点コードｂ１の取組名と、管理点コードｅ１の取組名とが異なっている場合には、両方の取組名が同一になるように、いずれかの取組名を変更することができる。これにより、管理点コードｂ１と管理点コードｅ１とで、共通の取組情報を用いることができる。なお、本実施の形態では、取組名変更部２６は、図１２に示す画面において、「取組追加」をクリックすることによって、取組名を新たに追加することもできる。これにより、生産者は、取組名が追加された管理点において、取組情報をさらに登録することができる。
【００３８】
［装置動作］
次に、本発明の実施の形態における支援措置１００の動作について図１３を用いて説明する。図１３は、本発明の実施の形態における支援措置の動作を示すフロー図である。以下の説明においては、適宜図１〜図１２を参酌する。また、本実施の形態では、支援措置１００を動作させることによって、支援方法が実施される。よって、本実施の形態における支援方法の説明は、以下の支援措置１００の動作説明に代える。
【００３９】
図１３に示すように、支援措置１００においては、最初に、テンプレート複製部２０が、ユーザ（工程管理者）の操作に基づいて、基準テンプレート記憶部１８に記憶された基準テンプレートから、複製テンプレートを作成する（ステップＡ１）。
【００４０】
次に、取組名変更部２６が、ユーザ（工程管理者）が、複製テンプレートの各管理点において設定されている取組名を変更するための操作を行ったか否かを判別する（ステップＡ２）。ユーザが変更操作を行っている場合、取組名変更部２６は、複製テンプレート記憶部２２に記憶されている取組名（図５及び図１２参照）を変更する（ステップＡ３）。
【００４１】
次に、取組情報登録部１２が、ユーザ（工程管理者及び作業者）の操作に基づいて、取組情報記憶部２４に取組情報を登録する（ステップＡ４）。最後に、取組情報提示部１４が、生産者コード及び取組名に基づいて、取組情報記憶部２４に記憶された取組情報を抽出し、管理点の内容とともに提示する（ステップＡ５：図１０参照）。
【００４２】
ステップＡ２において、ユーザによって取組名の変更操作が行われていない場合には、取組名変更部２６による変更処理は行われずに、取組情報登録部によってステップＡ４の処理が行われる。
【００４３】
［実施の形態における作用効果］
以上のように、支援措置１００においては、取組情報提示部１４は、管理点ごとに、取組名に基づいて、取組情報記憶部２４に記憶された生産者取組情報の中から取組情報を抽出して提示する。したがって、支援措置１００では、一つのＧＡＰ（複製テンプレート）の複数の管理点において共通の取組名が設定されている場合には、一つの管理点について登録された取組情報を、取組名が共通する他の管理点において提示することができる。また、複数のＧＡＰ（複製テンプレート）のいずれかの管理点において共通の取組名が設定されている場合には、ユーザ（生産者等）は、一つのＧＡＰについて登録した取組情報を、他のＧＡＰにおいて新たに登録することなく提示させることができる。これらの結果、生産者の負担を軽減しつつ、生産者が自身の生産活動を容易にチェックすることができる。
【００４４】
［変形例］
図１４は、本実施の形態に係る支援措置の変形例を示すブロック図である。図１４に示す支援措置１００ａが、図２の支援措置１００と異なる点は、判定部２８を更に備える点である。判定部２８は、例えば、生産者の取組が、適合基準を満たしているか否かを判定する。本例では、判定部２８は、例えば、取組情報提示部１４によって取組内容が提示されている場合に、生産者の取組が、適合基準を満たしていると判定する。また、取組情報提示部１４は、例えば、判定部２８の判定結果を、各管理点の内容とともに提示する。また、取組情報提示部１４は、例えば、判定部２８の判定結果に基づいて、各ＧＡＰ（複製テンプレート）について、生産者の取組が全ての管理点の基準に適合しているか否かを判定してもよい。そして、取組情報提示部１４は、生産者の取組が全ての管理点の基準を満たしているＧＡＰが存在する場合には、そのＧＡＰを提示してもよい。
【００４５】
図１５は、本実施の形態に係る支援装置の他の変形例を示すブロック図である。図１５に示す支援措置１００ｂが、図２の支援措置１００と異なる点は、スナップショット取得部３０及び評価用テンプレート生成部３２を更に備える点である。なお、図１５においては、図面が煩雑になることを避けるために、基準テンプレート記憶部１８及びテンプレート複製部２０の図示を省略している。
【００４６】
スナップショット取得部３０は、取組情報登録部１２によって登録された生産者取組情報から、スナップショットを取得する。スナップショットは、例えば、予め設定された期間ごとに取得されてもよく、ユーザの操作に基づいて取得されてもよい。評価用テンプレート生成部３２は、スナップショット取得部３０によって取得されたスナップショットの生産者取組情報、及び複製テンプレート記憶部２２に記憶されている複数の複製テンプレートのうちの任意の複製テンプレートに基づいて、評価用テンプレートを生成する。評価用テンプレートにおいては、複数の管理点の内容と取組情報とが対応付けて提示されている。評価用テンプレート生成部３２は、更に、生成した評価用テンプレートを、図示しない評価用テンプレート記憶部に記憶させる。本実施の形態では、例えば、生産者は、評価用テンプレート記憶部に記憶された評価用テンプレートを、ＧＡＰの認証者に提示することによって、ＧＡＰ認証審査を効率的に行うことができる。
【００４７】
［プログラム］
本発明の実施の形態におけるプログラムは、コンピュータに、図１３に示すステップＡ１〜Ａ５を実行させるプログラムであればよい。このプログラムをコンピュータにインストールし、実行することによって、本実施の形態における支援装置と支援方法とを実現することができる。この場合、支援装置となるコンピュータのＣＰＵ（Central Processing Unit）は、テンプレート選択部１０、取組情報登録部１２、取組情報提示部１４、テンプレート複製部２０、取組名変更部２６、判定部２８、スナップショット取得部３０、及び評価用テンプレート生成部３２として機能し、処理を行なう。
【００４８】
また、本実施の形態では、管理内容記憶部１６、基準テンプレート記憶部１８、複製テンプレート記憶部２２、及び取組情報記憶部２４は、コンピュータに備えられたハードディスク等の記憶装置に、これらを構成するデータファイルを格納することによって、またはこのデータファイルが格納された記録媒体をコンピュータと接続された読取装置に搭載することによって実現されている。
【００４９】
また、本実施の形態におけるプログラムは、複数のコンピュータによって構築されたコンピュータシステムによって実行されてもよい。この場合は、例えば、各コンピュータが、それぞれ、テンプレート選択部１０、取組情報登録部１２、取組情報提示部１４、テンプレート複製部２０、取組名変更部２６、判定部２８、スナップショット取得部３０、及び評価用テンプレート生成部３２のいずれかとして機能してもよい。また、管理内容記憶部１６、基準テンプレート記憶部１８、複製テンプレート記憶部２２、及び取組情報記憶部２４は、本実施の形態におけるプログラムを実行するコンピュータとは別のコンピュータ上に構築されていてもよい。
【００５０】
［物理構成］
ここで、本実施の形態におけるプログラムを実行することによって、支援装置を実現するコンピュータについて図を用いて説明する。図１６は、本発明の実施の形態における支援装置を実現するコンピュータの一例を示すブロック図である。
【００５１】
図１６に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００５２】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであってもよい。
【００５３】
また、記憶装置１１３の具体例としては、ハードディスクドライブの他、フラッシュメモリ等の半導体記憶装置が挙げられる。入力インターフェイス１１４は、ＣＰＵ１１１と、キーボードおよびマウスといった入力機器１１８との間のデータ伝送を仲介する。表示コントローラ１１５は、ディスプレイ装置１１９と接続され、ディスプレイ装置１１９での表示を制御する。
【００５４】
データリーダ／ライタ１１６は、ＣＰＵ１１１と記録媒体１２０との間のデータ伝送を仲介し、記録媒体１２０からのプログラムの読み出し、およびコンピュータ１１０における処理結果の記録媒体１２０への書き込みを実行する。通信インターフェイス１１７は、ＣＰＵ１１１と、他のコンピュータとの間のデータ伝送を仲介する。
【００５５】
また、記録媒体１２０の具体例としては、ＣＦ（Compact Flash（登録商標））およびＳＤ（Secure Digital）等の汎用的な半導体記憶デバイス、フレキシブルディスク（Flexible Disk）等の磁気記憶媒体、またはＣＤ−ＲＯＭ（Compact Disk Read Only Memory）などの光学記憶媒体が挙げられる。
【００５６】
なお、本実施の形態における支援装置は、プログラムがインストールされたコンピュータではなく、各部に対応したハードウェアを用いることによっても実現可能である。更に、支援装置は、一部がプログラムで実現され、残りの部分がハードウェアで実現されていてもよい。
【産業上の利用可能性】
【００５７】
以上のように、本発明によれば、生産者の負担を軽減しつつ、生産者が自身の生産活動を容易にチェックすることができる。
【符号の説明】
【００５８】
１０    テンプレート選択部
１２    取組情報登録部
１４    取組情報提示部
１６    管理内容記憶部
１８    基準テンプレート記憶部
２０    テンプレート複製部
２２    複製テンプレート記憶部
２４    取組情報記憶部
２６    取組名変更部
２８    判定部
３０    スナップショット取得部
３２    評価用テンプレート生成部
１００、１００ａ、１００ｂ    支援措置
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2018055412.tif 000003
【図２】
2018055412.tif 000004
【図３】
2018055412.tif 000005
【図４】
2018055412.tif 000006
【図５】
2018055412.tif 000007
【図６】
2018055412.tif 000008
【図７】
2018055412.tif 000009
【図８】
2018055412.tif 000010
【図９】
2018055412.tif 000011
【図１０】
2018055412.tif 000012
【図１１】
2018055412.tif 000013
【図１２】
2018055412.tif 000014
【図１３】
2018055412.tif 000015
【図１４】
2018055412.tif 000016
【図１５】
2018055412.tif 000017
【図１６】
2018055412.tif 000018